(57)【特許請求の範囲】
【請求項１】
２つの入力端と２つの出力端とを有し、リアクトルを介して交流電源に接続されて交流電源電圧を直流電圧に変換する整流回路と、
直列に接続される複数のコンデンサからなり、前記整流回路の２つの出力端間に接続されたコンデンサ回路と、
前記整流回路の一方の入力端と、前記コンデンサ回路内のコンデンサ間の一つの接続点との間に接続された第１のスイッチ手段と、
整流回路の他方の入力端と、前記コンデンサ回路内のコンデンサ間の前記接続点との間に接続された第２のスイッチ手段と、
第１及び第２の動作モードのうちのいずれかの動作モードにより前記第１及び第２のスイッチ手段を制御する制御手段とを備え、
前記第１の動作モードは、第１のスイッチ手段を、電源電圧の半周期において電源装置の出力電圧に応じて変化する第１のオン期間の間だけ連続的にオンに制御し、前記第２のスイッチ手段を常時オフに制御し、前記第２の動作モードは、第１のスイッチ手段を、電源電圧の半周期において電源装置の出力電圧に応じて変化する第１のオン期間の間だけ連続的にオンに制御し、前記第２のスイッチ手段を常時オンに制御し、
前記制御手段は、該第１のオン期間に関するデューティ比が概略１００％となったときに第１のオン期間に関するディーティ比を概略ゼロとするとともに、第２のスイッチ手段をオンして、第１及び第２のスイッチ手段を制御するために用いる動作モードを第１の動作モードから第２の動作モードへ切換え、前記第２の動作モードでの制御が所定時間以上継続しており、かつ、第１のオン期間がゼロとなったときに、第２の動作モードから第１の動作モードへ切換える
ことを特徴とする電源装置。
【請求項２】
２つの入力端と２つの出力端とを有し、リアクトルを介して交流電源に接続されて交流電源電圧を直流電圧に変換する整流回路と、
直列に接続される複数のコンデンサからなり、前記整流回路の２つの出力端間に接続されたコンデンサ回路と、
前記整流回路の一方の入力端と、前記コンデンサ回路内のコンデンサ間の一つの接続点との間に接続された第１のスイッチ手段と、
整流回路の他方の入力端と、前記コンデンサ回路内のコンデンサ間の前記接続点との間に接続された第２のスイッチ手段と、
第１及び第２の動作モードのうちのいずれかの動作モードにより前記第１及び第２のスイッチ手段を制御する制御手段とを備え、
前記第１の動作モードは、第１のスイッチ手段を、電源電圧の半周期において電源装置の出力電圧に応じて変化する第１のオン期間の間だけ連続的にオンに制御し、前記第２のスイッチ手段を常時オフに制御し、前記第２の動作モードは、第１のスイッチ手段を、電源電圧の半周期において電源装置の出力電圧に応じて変化する第１のオン期間の間だけ連続的にオンに制御し、前記第２のスイッチ手段を常時オンに制御し、
前記制御手段は、該第１のオン期間に関するデューティ比が概略１００％となったときに第１のオン期間に関するディーティ比を概略ゼロとするとともに、第２のスイッチ手段をオンして、第１及び第２のスイッチ手段を制御するために用いる動作モードを第１の動作モードから第２の動作モードへ切換え、前記第１または第２の動作モードのうち、一方の動作モードから他方の動作モードへ切替える際に、前記第１および第２のスイッチ手段をともにオフに制御する期間を電源電圧の半周期またはそれ以上設けた後、動作モードを切替えることを特徴とする電源装置。
【請求項３】
２つの入力端と２つの出力端とを有し、リアクトルを介して交流電源に接続されて交流電源電圧を直流電圧に変換する整流回路と、
直列に接続される複数のコンデンサからなり、前記整流回路の２つの出力端間に接続されたコンデンサ回路と、
前記整流回路の一方の入力端と、
前記コンデンサ回路内のコンデンサ間の一つの接続点との間に接続された第１のスイッチ手段と、
整流回路の他方の入力端と、
前記コンデンサ回路内のコンデンサ間の前記接続点との間に接続された第２のスイッチ手段と、
第１及び第２の動作モードのうちのいずれかの動作モードにより前記第１及び第２のスイッチ手段を制御する制御手段とを備え、
前記第１の動作モードは、第１のスイッチ手段を、電源電圧の半周期において電源装置の出力電圧に応じて変化する第１のオン期間の間だけ連続的にオンに制御し、前記第２のスイッチ手段を常時オフに制御し、前記第２の動作モードは、第１のスイッチ手段を、電源電圧の半周期において電源装置の出力電圧に応じて変化する第１のオン期間の間だけ連続的にオンに制御し、前記第２のスイッチ手段を常時オンに制御し、
前記制御手段は、前記第１の動作モードにおいて、電源電圧の半周期あたりの前記第１のオン期間の増減量を、前記第２の動作モードにおける増減量よりも大きな値とすることを特徴とする電源装置。
【請求項４】
前記第２のスイッチ手段はリレーからなることを特徴とする請求項１から３のいずれか１項記載の電源装置。
【発明の詳細な説明】
【０００１】
【発明の属する技術分野】
本発明は電源装置であって、一定の交流電源から所望の電圧の直流に変換する電源装置に関する。
【０００２】
【従来の技術】
空調装置等の電気機器に用いる電源装置においては高調波規制をクリアする必要があるが、この高調波規制をクリアする一つの手段として、特開平１０−１１１０２８号公報に開示されたアクティブフィルタを用いて力率を改善する方法がある。アクティブフィルタによれば、力率を改善するとともに副次的に電源電圧の昇圧機能を実現できるという効果が得られる。その反面、回路規模が増大し、製造コストが上昇するといった課題がある。
【０００３】
そこで、簡易な構成でアクティブフィルタと同様の効果を実現するものとして、特開２０００−１８８８６７号公報に開示された技術が考案されている。図１４にその構成を示す。図１４に示すように、電源装置は、整流回路２の入力端間に接続され、その入力端間を短絡／遮断するスイッチＳＷ１１と、整流回路２を構成するダイオードブリッジの中点と倍電圧整流用コンデンサ４，５間の接続点との間に接続され、その間を短絡／遮断するスイッチＳＷ１２とを備えている。
【０００４】
この電源装置では、スイッチＳＷ１１のオン、オフをパルス幅（ＰＷＭ）制御することにより、アクティブフィルタを用いる場合と同様に力率改善及び昇圧機能を実現している。さらに、スイッチＳＷ１２のオン、オフにより全波整流と倍電圧整流との切換を行なうことにより出力電圧の可変範囲を拡大している。すなわち、負荷が小さいときにはスイッチＳＷ１２をオフすることにより全波整流モードで動作し、負荷が大きいときにはスイッチＳＷ１２をオンすることにより倍電圧整流モードで動作することにより、出力電圧の可変範囲を拡大している。
【０００５】
【発明が解決しようとする課題】
しかしながら、図１４に示す電源装置には次のような問題がある。
スイッチＳＷ１をパルス幅制御しており、この際パルス幅制御のキャリア周波数は電源周波数に比して非常に高い周波数であるため、高周波ノイズの発生が問題となる。このため、ノイズ対策として別途フィルタ回路が必要となり、製造コストの増加を招く。また、スイッチＳＷ１２による全波整流と倍電圧整流との切換時において出力電圧の変動が大きくなる。つまり、動作モードの切換直前の出力電圧と、切換直後の出力電圧との間の電圧差が大きいという問題がある。
【０００６】
本発明は上記課題を解決すべくなされたものであり、その目的とするところは、簡易な構成で力率改善を行ないかつ高調波規制をクリアし、動作モードの切換時において出力電圧の急変を抑制する電源装置を提供することにある。
【０００７】
【課題を解決するための手段】
本発明に係る第１の電源装置は、２つの入力端と２つの出力端とを有し、リアクトルを介して交流電源に接続されて交流電源電圧を直流電圧に変換する整流回路と、直列に接続される複数のコンデンサからなり、整流回路の２つの出力端間に接続されたコンデンサ回路と、整流回路の一方の入力端と、前記コンデンサ回路内のコンデンサ間の一つの接続点との間に接続された第１のスイッチ手段と、整流回路の他方の入力端と、前記コンデンサ回路内のコンデンサ間の同接続点との間に接続された第２のスイッチ手段とからなる。
【０００８】
第１の電源装置は、第１及び第２の動作モードのうちのいずれかの動作モードにより第１及び第２のスイッチ手段を制御する制御手段を備える。このとき、第１の動作モードでは、第１のスイッチ手段を、電源電圧の半周期において電源装置の出力電圧に応じて変化する第１のオン期間の間だけ連続的にオンに制御し、第２のスイッチ手段を常時オフに制御する。第２の動作モードでは、第１のスイッチ手段を、電源電圧の半周期において電源装置の出力電圧に応じて変化する第１のオン期間の間だけ連続的にオンに制御し、第２のスイッチ手段を常時オンに制御する。
【０００９】
制御手段は、前記第１のオン期間のデューティ比が概略１００％となったときに、第１のオン期間に関するディーティ比を概略ゼロとするとともに、第２のスイッチ手段をオンして、第１及び第２のスイッチ手段を制御するために用いる動作モードを第１の動作モードから第２の動作モードへ切換え、第２の動作モードでの制御が所定時間以上継続しており、かつ、第１のオン期間がゼロとなったときに、第２の動作モードから第１の動作モードへ切換える。
【００１５】
本発明に係る第２の電源装置は、２つの入力端と２つの出力端とを有し、リアクトルを介して交流電源に接続されて交流電源電圧を直流電圧に変換する整流回路と、直列に接続される複数のコンデンサからなり、前記整流回路の２つの出力端間に接続されたコンデンサ回路と、整流回路の一方の入力端とコンデンサ回路内のコンデンサ間の一つの接続点との間に接続された第１のスイッチ手段と、整流回路の他方の入力端と、コンデンサ回路内のコンデンサ間の接続点との間に接続された第２のスイッチ手段と、第１及び第２の動作モードのうちのいずれかの動作モードにより第１及び第２のスイッチ手段を制御する制御手段とを備える。第１の動作モードは、第１のスイッチ手段を、電源電圧の半周期において電源装置の出力電圧に応じて変化する第１のオン期間の間だけ連続的にオンに制御し、第２のスイッチ手段を常時オフに制御する。第２の動作モードは、第１のスイッチ手段を、電源電圧の半周期において電源装置の出力電圧に応じて変化する第１のオン期間の間だけ連続的にオンに制御し、第２のスイッチ手段を常時オンに制御する。制御手段は、第１のオン期間に関するデューティ比が概略１００％となったときに第１のオン期間に関するディーティ比を概略ゼロとするとともに、第２のスイッチ手段をオンして、第１及び第２のスイッチ手段を制御するために用いる動作モードを第１の動作モードから第２の動作モードへ切換え、第１または第２の動作モードの一方のモードから他方のモードへ切替える際に、電源電圧の半周期もしくはそれ以上の期間、第１および第２のスイッチ手段をともにいったんオフとした後、動作モードを切替える。
【００２０】
本発明に係る第３の電源装置は、２つの入力端と２つの出力端とを有し、リアクトルを介して交流電源に接続されて交流電源電圧を直流電圧に変換する整流回路と、直列に接続される複数のコンデンサからなり、整流回路の２つの出力端間に接続されたコンデンサ回路と、整流回路の一方の入力端と、コンデンサ回路内のコンデンサ間の一つの接続点との間に接続された第１のスイッチ手段と、整流回路の他方の入力端とコンデンサ回路内のコンデンサ間の前記接続点との間に接続された第２のスイッチ手段と、第１及び第２の動作モードのうちのいずれかの動作モードにより前記第１及び第２のスイッチ手段を制御する制御手段とを備える。第１の動作モードは、第１のスイッチ手段を、電源電圧の半周期において電源装置の出力電圧に応じて変化する第１のオン期間の間だけ連続的にオンに制御し、第２のスイッチ手段を常時オフに制御する。第２の動作モードは、第１のスイッチ手段を、電源電圧の半周期において電源装置の出力電圧に応じて変化する第１のオン期間の間だけ連続的にオンに制御し、第２のスイッチ手段を常時オンに制御する。制御手段は、第１の動作モードにおいて、電源電圧の半周期あたりの前記第１のオン期間の増減量を、第２の動作モードにおける増減量よりも大きな値とする。
【００２２】
【発明の実施の形態】
以下添付の図面を参照して、本発明に係る電源装置の実施の形態を詳細に説明する。
【００２３】
（実施の形態１）
図１は本発明に係る電源装置の回路構成の概略を示した図である。
同図に示すように電源装置は、交流電源１からの電圧をリアクトル３を介して入力して整流する整流回路２と、倍電圧整流用のコンデンサ４、５と、整流回路２の各ハーフブリッジの中点と倍電圧整流用コンデンサ４、５間の接続点とを接続するスイッチＳＷ１、ＳＷ２とを備える。電源装置は交流電源１からの電圧を整流して負荷８に対して所望の大きさの直流電圧を出力する。負荷８には、空調装置、冷蔵庫等のコンプレッサや洗濯機に使用されるＤＣモータを駆動するためのインバータ等が含まれる。
【００２４】
整流回路２は２つのダイオードのハーフブリッジからなる。コンデンサ４とコンデンサ５とは直列に接続され、整流回路２の出力端に接続される。スイッチＳＷ１、ＳＷ２は、整流回路２の各入力端（整流回路２の各ハーフブリッジの中点）と、コンデンサ４とコンデンサ５との間の接続点との間にそれぞれ接続される。なお、倍電圧整流用のコンデンサは２個に限らず、偶数個設けることができる。
【００２５】
以上のように構成される電源装置は、スイッチＳＷ１、ＳＷ２のオン・オフの状態に応じて２つの動作モード（モード１、モード２）で動作する。（ａ）モード１：スイッチＳＷ２は常時オフに制御された状態で、スイッチＳＷ１がパルス幅制御される。モード１においては電源電圧のおよそ√2倍から2√2倍の範囲の出力電圧が得られる。（ｂ）モード２：スイッチＳＷ２は常時オン又はパルス幅制御される状態で、スイッチＳＷ１はパルス幅制御される。モード２においては倍電圧整流回路ベースの回路構成となるため、電源電圧の2√2倍以上の出力電圧まで得ることができる。
【００２６】
スイッチＳＷ１、ＳＷ２のパルス幅制御は、それらに対して出力される制御パルスのパルス幅を制御することで行なわれる。ここで、制御パルスは、電源電圧の半周期毎に１つだけ出力される。以下、このような半周期毎に１つのみ出力されるパルスによるスイッチング制御を「１パルス制御」という。この１パルス制御は、パルス幅制御におけるキャリア周期を電源電圧の半周期に設定した場合の制御と同等である。
【００２７】
１パルス制御では電源周波数の２倍の１００Ｈｚ又は１２０Ｈｚといった低速スイッチング動作を基本とする。したがって、アクティブフィルタ方式のように数十ｋＨｚの高速スイッチング動作がなく、発生ノイズが小さい。そのため、ノイズ対策のための回路を簡略化でき、スペース的にも、コスト的にも有利となる利点がある。
【００２８】
また、本発明では、モード１、モード２いずれの動作モードにあっても、スイッチＳＷ２は、オン一定またはオフ一定のいずれかに制御されており、モード切換時を除いて基本的にスイッチング動作を必要としない。したがって、スイッチＳＷ２にはリレー等の比較的低速なスイッチ素子を用いることが可能である。
【００２９】
図２は本発明の電源装置のさらに具体的な構成を示した図である。図２において、スイッチＳＷ１は双方向の半導体スイッチから構成され、スイッチＳＷ２はリレーにより構成されている。スイッチＳＷ２にリレーを用いることによりＩＧＢＴなどの半導体スイッチを使用する場合に比べ、スイッチ・オン時の損失を低減できる。図２に示す電源装置は、図１に示した構成に加えてさらに、平滑コンデンサ１１と、電源電圧の位相を検出する電源位相検出部１２と、スイッチＳＷ１のパルス幅の制御を行うパルス幅制御部１３と、スイッチＳＷ２のオン／オフを制御するリレーＯＮ／ＯＦＦ制御部１４と、出力電圧を検出する出力電圧検出部１５とを備えている。なお、平滑コンデンサ１１を挿入することにより、動作モードの切換に伴う容量変動を抑制でき、より安定した電圧供給が可能となる。
【００３０】
以上のように構成される電源装置では、パルス幅制御部１３が、出力電圧検出部１５からの出力電圧の検出結果及び電源位相検出部１２からの電源位相の検出結果に基いてスイッチＳＷ１のオン／オフのタイミングを制御するよう制御パルスを出力する。パルス幅制御部１３は電源位相がゼロクロスとなるタイミングにおいて、制御パルスを出力する。また、リレーＯＮ／ＯＦＦ制御部１４がスイッチＳＷ２のオン／オフのタイミングを制御するよう制御パルスを出力する。
【００３１】
図３を用いて電源装置の各動作モードでの動作を説明する。なお、図３（ｂ）はスイッチＳＷ１のデューティ比の変化の様子を、図３（ｃ）はスイッチＳＷ２のオン・オフ状態を示している。図３（ａ）は一定負荷出力時（約４００Ｗ）における各スイッチの状態に対応した出力電圧の変化を示している。
【００３２】
同図の横軸はとり得る制御状態を表しているが、目標出力電圧に応じて状態が遷移する場合を説明する際には、横軸を時間軸とみて、左から右、または右から左に制御状態が変化すると見てもよい。
【００３３】
図３に示すように、モード１においては、スイッチＳＷ２が常時オフの状態で、スイッチＳＷ１が要求される出力電圧に応じてパルス幅制御される（図のP点）。すなわち、モード１において、より高い出力電圧を得たいときはスイッチＳＷ１の制御パルスのパルス幅をより大きくしていく。その際、スイッチＳＷ１の電源半周期に対するデューティ比が１００％に達し（このとき、電源周波数の半周期中スイッチＳＷ１がオンに制御される）、さらに、それ以上の出力電圧が要求される場合、スイッチＳＷ１のパルス幅をそれ以上に制御することができないため、動作モードをモード１からモード２に切り換える。
【００３４】
モード１からモード２への切換の前後では、スイッチＳＷ１のデューティ比が１００％から０％に切換えられ、スイッチＳＷ２がオフからオンに切換えられる（図のＱ点）。このとき、切換前後の回路はいずれも倍電圧整流回路そのものであることから、切換前後における出力電圧の変動は生じない。さらに、モード２では、スイッチＳＷ２は常時オンに制御され、スイッチＳＷ１は出力電圧に応じてパルス幅制御される（図のＲ点）。モード２においては倍電圧整流回路ベースの回路構成となるため、モード１の場合に比しておよそ２倍の出力電圧が得られる。
【００３５】
モード２において出力電圧を低下させていく場合は、スイッチＳＷ１のデューティ比が０％に達したときに、スイッチＳＷ２をオンからオフに切換えるとほぼ同時に、スイッチＳＷ１のデューティ比を０％から１００％にすることによりモード２からモード１への切換えを行なう。
【００３６】
なお、図３でモード１において制御パルスがある程度大きくなるまで出力電圧が上昇していないが、これは、制御パルスが小さい区間では電源電圧が小さく、入力電流が流れないためである。また制御パルスが１００％に近づいたあたりでも出力電圧が上昇していないが、これも同様である。
【００３７】
また、モード１において、スイッチＳＷ１のデューティ比の増加に対する出力電圧の増加分は、その回路構成上、スイッチＳＷ１のオンにより交流電源１のショートループを構成するモード２に比べて低くなる。そのため、図３に示すように、モード１におけるスイッチＳＷ１のデューティ比の増減量をモード２における増減量よりも大きく設定（図では傾きを大きく設定）することにより、フィ−ドバック動作における出力電圧の追従速度を、両動作モード間でほぼ等しくなるように制御している。これによって全出力電圧範囲において出力電圧の追従速度をほぼ一定にすることができる。
【００３８】
さらに、上記の例ではスイッチＳＷ２は、デューティ比を０％となった段階で、すぐにモード２からモード１へ切替えているが、デューティ比が０％となった状態で一定時間（たとえば１時間以上）経過した段階で切替えてもよい。この制御を行うことによって一時的に目標とする出力電圧よりも高い状態が継続することになるが、モード１とモード２間を頻繁に行き来するような負荷を想定した場合において、スイッチＳＷ２を切替える頻度を大幅に抑えることができる。
【００３９】
また、モード２での制御の継続時間を測定しておき、その継続時間が所定時間以上であり、かつ、スイッチＳＷ１のデューティ比が０％となった時点でモード２からモード１へ切替えるようにしてもよい。この場合は、スイッチＳＷ１のデューティ比が０％となっても、モード２での制御の継続時間が所定時間以上でなければ、モードの切替えは行なわず、その後、モード２での制御の継続時間が所定時間以上になった時点でモード２からモード１への切替えを行なう。
【００４０】
一般にＤＣモータ負荷の場合、出力電圧が高くてもＰＷＭ制御によってモータを回転することが可能であり、本制御によって一時的に出力電圧が目標値よりも高くなっても所望の回転数でモータを回すことができるため、その影響は小さい。逆に、ＤＣモータを高回転運転する場合には、負荷であるＤＣモータの誘起電圧に応じて出力電圧を高くする必要がある。
【００４１】
上記の制御においては、モード１からモード２への切替時には時間的制限を加えないため、モータ負荷が急に大きくなった場合にも速やかに出力電圧を上昇させることができる。一方でスイッチＳＷ２をリレーにて構成する場合には、上記制御を行うことでスイッチＳＷ２の切替頻度が低減し、製品寿命保証上必要な、接点寿命を確保することが可能となる。
【００４２】
図４は、本実施形態の電源装置のモード１における、スイッチＳＷ１、ＳＷ２に対する制御パルス、電源電圧、入力電流、出力電圧（平滑コンデンサ１１の両端電圧）、コンデンサ４、５の接続点の電圧の各々の波形を示した図である。同図に示すように、スイッチＳＷ１の制御パルスは電源電圧のゼロクロス位置において出力され、電源電圧の半周期毎に１つだけ出力されている。図に示すように、この制御パルスによって、入力電流は、電源電圧がコンデンサ４、５の中点電圧以上になった時点から流れ始める。つまり、期間Ａの間、余分に入力電流を導通させることが可能となり、このように電流導通期間を拡張できることから力率を改善できる。さらに、入力電流の波形を電源電圧の波形に近づけることができるため高周波規制をクリアすることができる。
【００４３】
なお、モード切換時においては、スイッチＳＷ２は電源電圧のゼロクロスの位置でオン／オフが切換えられるのが好ましい。また、図４に示す例では、スイッチＳＷ１に対する制御パルスは、電源電圧のゼロクロス位置で出力されているが、電源電圧のゼロクロスのタイミングから所定時間だけ遅延させて出力するようにしてもよい。
【００４４】
図５は、本実施形態の電源装置のモード２における、スイッチＳＷ１、ＳＷ２に対する制御パルス、電源電圧及び入力電流の波形を示した図である。同図においては、スイッチＳＷ１の制御パルスは電源電圧のゼロクロス位置から所定の遅延時間Ｔdだけ遅延された後に出力されている。遅延時間Ｔdは高調波規制をクリア可能な値に設定する必要がある。遅延時間Ｔdは、負荷出力が小さくなるほど大きい値とした方が高調波規制をクリヤしやすいが必ずしも必要ではないので、遅延時間Ｔd＝０としてもよい（すなわち、スイッチＳＷ１の制御パルスをゼロクロスのタイミングで出力するようにしてもよい。）。モード１では、制御パルスがオンとなっても、電源電圧がコンデンサ４、５の中点電圧以上となる時点以降でないと入力電力が流れ始めなかったのに対し、モード２ではスイッチＳＷ１の制御パルスがオンになると同時に入力電流が流れ始めている。以上のように、スイッチＳＷ１をオンすることによってパルス幅の期間Ｔwの間、余分に入力電流を導通させることが可能となるため、モード１の場合と同様に電流導通期間を拡張でき、力率を改善できる。さらに、入力電流の波形を電源電圧の波形に近づけることができ、高周波規制をクリアすることができる。
【００４５】
図６はモード切換時の電源電圧及び入力電流の変化を説明した図である。同図に示すように、モード切換の直前、直後において出力電圧の変動はほとんどない。
モード切替直後の電源半周期Xにおける入力電流は、そのピーク値がやや小さく、次の半周期Yにおいてやや大きくなるものの、その変動の程度は十分に小さい。なお入力電流がこのような波形となる理由は、モード切替前後で入力電源電圧の位相に対して充電される倍電圧用のコンデンサ４、５が入れ替わるためであり、期間Ｘではその直前の半周期間中に既にコンデンサ５が充電されているため、コンデンサ５への充電電流があまり流れず、次の半周期間Ｙではコンデンサ４の電圧が減少しているために充電電流が大きくなるためである。
【００４６】
これにより、モード切換時において電流波形の変化がなく、出力電圧範囲内で出力電圧を滑らかに変更できる。すなわち、２つの動作モード間をまたがる目標出力電圧の変更時においても出力電圧の急変を抑制できる。
【００４７】
前述の例では、図３、図６に示すように、モード１からモード２への切換えは、モード１におけるスイッチＳＷ１のデューティ比が１００％に達した時点で行なわれていた。しかし、スイッチＳＷ１のデューティ比が１００％に達する前であっても、１００％に近い所定のデューティ比（例えば８０％程度）に達したときにモード切換を行なうようにしてもよい。図７に、スイッチＳＷ１のデューティ比が８０％に達したときにモード切換えを行なう場合のスイッチＳＷ１、ＳＷ２のデューティ比の変化、及び、各スイッチ状態に対応した出力電圧の変化を示す。図８は、８０％のデューティ比でのモード切換時における、制御パルスと、電源電圧及び入力電流の変化とを説明した図である。この場合においても、１００％のデューティ比でのモード切換の場合と同様に、モード切換の直前、直後においてほとんど同じ電流波形が得られ、モード切換時において出力電圧範囲内において出力電圧を滑らかに変更できる。
【００４８】
なお図７においては、モード切替前後において１０Ｖ程度の出力電圧差が生じているが、リアクトル３を４〜６ｍＨ程度とし、コンデンサ４、５を１０００μＦ程度、切替時のデューティ比を９０％程度と設定した場合には、モード切替時の出力電圧差をほぼゼロとすることができる。これは、図３を用いて説明したように、デューティ比が９０％程度あれば、残りの１０％に相当する区間は入力電流がゼロであり、倍電圧整流と等価な回路となるためである。この場合には、デューティ比１００％付近で生じている、スイッチＳＷ１のデューティ比を上げても出力電圧が上昇しない期間が、デューティ比１００％で切替える制御を行う場合よりも減少する。したがって、モード１からモード２に切替える場合において目標出力電圧に向けて出力電圧をより速く追随させることができるようになる。
【００４９】
（実施の形態２）
電源装置の動作モードにおけるスイッチＳＷ１、ＳＷ２の制御方法の別の例を図９を用いて説明する。
【００５０】
図９は本実施形態の各スイッチＳＷ１、ＳＷ２の制御を説明した図である。図９に示すように、本実施形態のモード１の制御は図３に示す実施の形態１の場合と同様である。しかし、モード２の制御において、実施の形態１では、スイッチＳＷ２を常時オンにし、スイッチＳＷ１をパルス幅制御していたのに対し、本実施形態では、スイッチＳＷ１を常時オン（すなわち、デューティ比を１００％に設定）にし、半導体スイッチ等で構成された双方向性のスイッチＳＷ２を出力電圧に応じてパルス幅制御する。
【００５１】
上記のように各スイッチＳＷ１、ＳＷ２を制御しても、実施の形態１の場合と同様に、モード切換の前後において入力電流波形を滑らかに接続でき、モード切換時の出力電圧の変動を抑制できる。上記のような制御を行なうため、スイッチＳＷ２にリレーを用いることは困難であるが、スイッチＳＷ２を電源電圧のゼロクロスの位置にて精度よく切換えることが容易となるという利点がある。
【００５２】
なお、上記のようにモードを切換える場合に、スイッチＳＷ１のデューティ比が１００％近傍の所定のデューティ比に達した時点でモードを切換えるようにしてもよい。すなわち、図１０に示すように、モード１からモード２への切り換えを、スイッチＳＷ１のデューティ比が９０％に達した時点で行なってもよい。このとき、スイッチＳＷ１については、モード２に切換後も、そのデューティ比が１００％に達するまではパルス幅制御がなされる。
【００５３】
以上のように制御しても、前述の場合と同様に、モード切換の前後において同様の効果が得られる。
【００５４】
なお、実施の形態１、２では、電源電圧の半周期に１つのみの制御パルスを印加する「１パルス制御」について説明したが、スイッチＳＷ１に対し、キャリア周波数を電源周波数に比して非常に高い周波数に設定し（すなわち電源電圧の半周期に比して非常に短いキャリア周期を設定）、そのキャリア周波数でパルス幅制御を行なうようにしてもよい。
【００５５】
（実施の形態３）
実施の形態１では図４に示すように、スイッチＳＷ１に対して、電源電圧の半周期に１つのみの制御パルスを印加する「１パルス制御」を行なっていた。これに対し、本実施形態では、図１１に示すように、スイッチＳＷ１に対し、電源電圧の半周期に２つの制御パルスを印加する制御（以下「２パルス制御」という。）を行なう。このとき、前半のパルスは電源電圧のゼロクロス発生時に印加し、後半のパルスは１パルス制御の場合に入力電流がゼロになる時点の近傍に印加するようにする。なお、後半のパルスは、前半のパルスよりも小さいパルス幅にする。このように２パルス制御を行なうことにより、期間Ａに加えて期間Ｂにおいても入力電流を導通させることが可能となり、より力率を改善することができ、電源効率を向上できる。
【００５６】
（実施の形態４）
実施の形態１では、一方の動作モードから他方の動作モードへ移行する際に、スイッチＳＷ１およびスイッチＳＷ２を同じ電源電圧の半周期内で、切替えるよう制御していた。これに対し、本実施形態では、図１２および図１３に示すように、前記２つの動作モードの切替時には、まず電源電圧の半周期間、スイッチＳＷ１，ＳＷ２をともにオフに制御した後、動作モードを切替える。なお、スイッチＳＷ１，ＳＷ２をともにオフにする期間（以下「デッドタイム」という。）は電源電圧の半周期よりも大きくてもよい。
【００５７】
図１２は、モード１からモード２へ切替える際の電源電圧、入力電流及及び出力電圧の変化を説明した図である。同図に示すように、モード切換直前の電源半周期間において入力電流がゼロとなっていることを除けば、モード切替前後で実施の形態１の場合とほぼ同様の電流波形が得られている。またスイッチＳＷ１，ＳＷ２をともにオフに制御した期間（デッドタイム）において、出力電圧が波高値で２０〜３０Ｖ程度低下するが、定常状態におけるリプル電圧も同程度であることから、出力電圧が大幅に変動することはない。したがって本制御においてもモード切替時において出力電圧を滑らかに変更できる。すなわち、目標出力電圧の変更時における電圧の急変を抑制できる。
【００５８】
図１３にモード２からモード１への切替時の波形を示す。図１２の場合と同様にスイッチＳＷ１、ＳＷ２をともにオフに制御した期間（デッドタイム）で出力電圧がいったん低下するものの、その波高値は２０〜３０Ｖ程度であり、出力電圧の変動は抑制されている。
【００５９】
なお、スイッチＳＷ２がリレーの場合には、スイッチＳＷ２の動作時間を考慮して、リレーＯＮ／ＯＦＦ制御部１４は、モード切替を行おうとする電源電圧のゼロクロスよりも手前の時点にてオンまたはオフの制御信号を出力するが、本制御では、万一スイッチＳＷ２のオフ動作がＴＹＰ値よりも１０ｍｓ程度遅れた場合にも、デッドタイムが設けられているため、スイッチＳＷ１およびＳＷ２がともにオンすることはない。したがって、スイッチＳＷ２の動作時間のバラツキが大きい場合においても、本制御を行うことによって、交流電源１のショートループ形成に伴う昇圧作用によって生じる出力電圧の上昇を確実に回避することができる。
【００６０】
【発明の効果】
本発明によれば、出力側において直列に接続された複数個のコンデンサ間の接続点と、整流回路の各入力端子との間にそれぞれ第１及び第２のスイッチ手段を設けた構成において、各スイッチ手段のオン・オフの組み合わせを切換えることで、全波整流回路及び倍電圧回路をベースとした、昇圧作用を有する電源回路を構成することができる。これによって、力率改善を行ないかつ高調波規制をクリアしつつ、広範囲（１２０〜２９０Ｖ程度）な出力電圧範囲を有する電源装置を構成することが可能となる。
【００６２】
また、第１の動作モードにおけるオン期間が所定値よりも大きくなったときに第１のスイッチ手段をオフし、第２のスイッチ手段をオンすることで第２の動作モードへ移行することにより、従来、モード切換時に生じていた出力電圧の変動を抑制することができる。
【００６４】
また、２つの動作モードの切替条件に時間要素を付加することにより、第２のスイッチ手段の切替頻度を減らすことができるため、第２のスイッチ手段にリレーを使用した場合に接点寿命を延ばすことが可能となる。
また、請求項２記載の発明によれば、動作モードの切替時に電源電圧の半周期間、第１および第２のスイッチ手段をオフに制御することによって、第２のスイッチ手段に動作時間のバラツキの大きなリレーを用いた場合においても第１および第２がともにオンとなることを防止することで、入力電源のショートループによる昇圧作用から生じる出力電圧の乱れを確実に回避することができる。
【００６９】
また、請求項３記載の発明によれば、第１の動作モードにおいて、電源半周期あたりの第１のスイッチ手段のオン幅の増減量を、第２の動作モードにおける増減量よりも大きく設定することにより、出力電圧範囲内において、目標出力電圧に対する出力電圧の応答性をほぼ等しくすることができる。
【図面の簡単な説明】
【図１】  本発明に係る電源装置の概念を説明するための回路図。
【図２】  本発明の実施の形態１の電源装置の構成を示す回路図。
【図３】  実施の形態１の電源装置の一つの動作モード（ディーティ比１００％でモード切換）を説明した図（（ａ）出力電圧、（ｂ）スイッチＳＷ１のデューティ比の変化、（ｃ）スイッチＳＷ２のオン／オフ状態）。
【図４】  実施の形態１の電源装置の動作モード１における、スイッチのオン／オフと、各種波形（電源電圧、出力電圧、入力電流等の波形）との関係を示した図（（ａ）出力電圧等の波形、（ｂ）スイッチＳＷ１の制御パルス、（ｃ）スイッチＳＷ２の制御パルス）。
【図５】  実施の形態１の電源装置の動作モード２における、スイッチのオン／オフと、各種波形（電源電圧、入力電流の波形）との関係を示した図（（ａ）入力電流等の波形、（ｂ）スイッチＳＷ１の制御パルス、（ｃ）スイッチＳＷ２の制御パルス）。
【図６】  実施の形態１の電源装置の一つの動作モードの切換時における入力電流の波形を示した図（（ａ）入力電流等の波形、（ｂ）スイッチＳＷ１のデューティ比の変化、（ｃ）スイッチＳＷ２のオン／オフ状態）。
【図７】  実施の形態１の電源装置の別の動作モード（ディーティ比９０％でモード切換）を説明した図（（ａ）出力電圧、（ｂ）スイッチＳＷ１のデューティ比の変化、（ｃ）スイッチＳＷ２のオン／オフ状態）。
【図８】  実施の形態１の電源装置の別の動作モードの切換時における入力電流の波形を示した図（（ａ）入力電流等の波形、（ｂ）スイッチＳＷ１の制御パルス、（ｃ）スイッチＳＷ２のオン／オフ状態）。
【図９】  実施の形態２の電源装置の一つの動作モード（ディーティ比１００％でモード切換）を説明した図（（ａ）出力電圧、（ｂ）スイッチＳＷ１のデューティ比の変化、（ｃ）スイッチＳＷ２のデューティ比の変化）。
【図１０】  実施の形態２の電源装置の別の動作モード（ディーティ比９０％でモード切換）を説明した図（（ａ）出力電圧、（ｂ）スイッチＳＷ１のデューティ比の変化、（ｃ）スイッチＳＷ２ののデューティ比の変化）。
【図１１】  実施の形態３の電源装置における２パルス制御を説明した図（（ａ）入力電流等の波形、（ｂ）スイッチＳＷ１の制御パルス、（ｃ）スイッチＳＷ２のオン／オフ状態）。
【図１２】  実施の形態４の電源装置の一つの動作モードの切換時（モード１からモード２への切替）における入力電流の波形を示した図（（ａ）入力電流等の波形、（ｂ）スイッチＳＷ１のデューティ比の変化、（ｃ）スイッチＳＷ２のオン／オフ状態）。
【図１３】  実施の形態４の電源装置の一つの動作モードの切換時（モード２からモード１への切替）における入力電流の波形を示した図（（ａ）入力電流等の波形、（ｂ）スイッチＳＷ１のデューティ比の変化、（ｃ）スイッチＳＷ２のオン／オフ状態）。
【図１４】  従来の電源装置の回路図。
【符号の説明】
１  交流電源
２  整流回路
３  リアクトル
４、５、１１  コンデンサ
８  負荷
１２  電源位相検出部
１５  出力電圧検出部
１３  パルス幅制御部
１４  リレーＯＮ／ＯＦＦ制御部
ＳＷ１、ＳＷ２  スイッチ
【図１】
0003934982.tif 000002
【図２】
0003934982.tif 000003
【図３】
0003934982.tif 000004
【図４】
0003934982.tif 000005
【図５】
0003934982.tif 000006
【図６】
0003934982.tif 000007
【図７】
0003934982.tif 000008
【図８】
0003934982.tif 000009
【図９】
0003934982.tif 000010
【図１０】
0003934982.tif 000011
【図１１】
0003934982.tif 000012
【図１２】
0003934982.tif 000013
【図１３】
0003934982.tif 000014
【図１４】
0003934982.tif 000015